【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
光電変換により画素信号を生成する複数の画素が２次元行列状に配列された画素部と、
前記画素部の読み出しの行アドレスを生成する読み出し行カウンタと、
前記画素部の第１のフィールドのリセットの行アドレスを生成する第１のリセット行カウンタと、
前記画素部の前記第１のフィールドに引き続く第２のフィールドのリセットの行アドレスを生成する第２のリセット行カウンタと、
前記読み出し行カウンタ、前記第１のリセット行カウンタ及び前記第２のリセット行カウンタにより生成される行アドレスのうちの１つの行アドレスを選択するセレクタと、
前記セレクタにより選択された行アドレスに対応する前記画素部の行を選択する画素駆動部とを有し、
前記画素駆動部は、前記第１のフィールドで読み出される前記画素部の行を順次走査して前記第１のフィールドで読み出される画素の画素信号をリセットし、その後、前記第２のフィールドで読み出される前記画素部の行を順次走査して前記第２のフィールドで読み出される画素の画素信号をリセットし、その後、前記第１のフィールドの画素の画素信号を順次読み出し、その後、前記第２のフィールドの画素の画素信号を順次読み出す第１の動作モードを備えることを特徴とする固体撮像装置。
【請求項２】
前記画素駆動部は、前記第１のフィールドで読み出される前記画素部の行を順次走査して前記第１のフィールドで読み出される画素の画素信号をリセットし、その後、前記第１のフィールドの画素の画素信号を順次読み出し、その後、前記第２のフィールドで読み出される前記画素部の行を順次走査して前記第２のフィールドで読み出される画素の画素信号をリセットし、その後、前記第２のフィールドの画素の画素信号を順次読み出す第２の動作モードをさらに備えることを特徴とする請求項１記載の固体撮像装置。
【請求項３】
前記第２の動作モードに引き続き前記第１の動作モードが行われる際、前記第２の動作モードにおける前記第２のフィールドの画素の画素信号の読み出しの走査開始は、前記第１の動作モードにおける前記第１のフィールドの画素の画素信号のリセットの走査開始の後、かつ前記第１の動作モードにおける前記第２のフィールドの画素の画素信号のリセットの走査開始の前に行われることを特徴とする請求項２記載の固体撮像装置。
【請求項４】
さらに、前記読み出し行カウンタ、前記第１のリセット行カウンタ及び前記第２のリセット行カウンタを制御する行カウンタ制御部を有し、
前記行カウンタ制御部は、
前記読み出し行カウンタをカウントスタートさせるためのカウントスタートパルスを生成する第１のカウンタスタートパルス生成回路と、
垂直同期信号のタイミングでリセットし、水平同期信号のタイミングでカウントアップする水平同期信号カウンタと、
前記水平同期信号カウンタのカウンタ値に応じて、前記第１のリセット行カウンタをカウントスタートさせるためのカウントスタートパルスを生成する第２のカウンタスタートパルス生成回路と、
前記水平同期信号カウンタのカウンタ値に応じて、前記第２のリセット行カウンタをカウントスタートさせるためのカウントスタートパルスを生成する第３のカウンタスタートパルス生成回路とを有することを特徴とする請求項１記載の固体撮像装置。
【請求項５】
さらに、前記読み出し行カウンタ、前記第１のリセット行カウンタ及び前記第２のリセット行カウンタを制御する行カウンタ制御部を有し、
前記行カウンタ制御部は、
前記読み出し行カウンタをカウントスタートさせるためのカウントスタートパルスを生成する第１のカウンタスタートパルス生成回路と、
２つの垂直同期信号のタイミング毎にリセットし、水平同期信号のタイミングでカウントアップする第１の水平同期信号カウンタと、
２つの垂直同期信号のタイミング毎かつ前記第１の水平同期信号カウンタに対して１つの垂直同期信号分ずれてリセットし、水平同期信号のタイミングでカウントアップする第２の水平同期信号カウンタと、
前記第１の水平同期信号カウンタのカウンタ値に応じて、前記第１のリセット行カウンタをカウントスタートさせるためのカウントスタートパルスを生成する第２のカウンタスタートパルス生成回路と、
前記第２の水平同期信号カウンタのカウンタ値に応じて、前記第２のリセット行カウンタをカウントスタートさせるためのカウントスタートパルスを生成する第３のカウンタスタートパルス生成回路とを有することを特徴とする請求項１記載の固体撮像装置。
【請求項６】
１つの読み出し行カウンタと２つのリセット行カウンタを有する行アドレス生成部と、
前記読み出し行カウンタと前記リセット行カウンタを制御する行カウンタ制御部と、
前記行アドレス生成部で生成された行アドレスを選択するセレクタと、
前記セレクタによって選択された行アドレスをデコードする行アドレスデコーダと、
前記行アドレスデコーダの出力ビットを入力してその状態を記憶する記憶部と、
前記記憶部に記憶された出力ビットに対応する行選択信号を出力する画素駆動部とを有し、
前記読み出し行カウンタは、第１のフィールド及び第２のフィールドのインターレース読み出しの行アドレスを生成し、
前記２つのリセット行カウンタは、フィールド読み出し周期に対して短い蓄積時間と長い蓄積時間の２種類の蓄積動作の一方から他方へ切り替わる場合に、前記第１のフィールドと前記第２のフィールドが互いのフィールドの読み出し行を飛び越して行リセットするように行アドレスを生成することを特徴とする固体撮像装置。
【請求項７】
光電変換により画素信号を生成する複数の画素が２次元行列状に配列された画素部と、
前記画素部の行を選択する画素駆動部とを有する固体撮像装置の駆動方法であって、
前記画素駆動部は、第１のフィールドで読み出される前記画素部の行を順次走査して前記第１のフィールドで読み出される画素の画素信号をリセットし、その後、第２のフィールドで読み出される前記画素部の行を順次走査して前記第２のフィールドで読み出される画素の画素信号をリセットし、その後、前記第１のフィールドの画素の画素信号を順次読み出し、その後、前記第２のフィールドの画素の画素信号を順次読み出す第１のステップを有することを特徴とする固体撮像装置の駆動方法。
【請求項８】
前記第１のフィールドで読み出される前記画素部の行を順次走査して前記第１のフィールドで読み出される画素の画素信号をリセットし、その後、前記第１のフィールドの画素の画素信号を順次読み出し、その後、前記第２のフィールドで読み出される前記画素部の行を順次走査して前記第２のフィールドで読み出される画素の画素信号をリセットし、その後、前記第２のフィールドの画素の画素信号を順次読み出す第２のステップをさらに備えることを特徴とする請求項７記載の固体撮像装置の駆動方法。
【請求項９】
前記第２のステップに引き続き前記第１のステップが行われる際、前記第２のステップにおける前記第２のフィールドの画素の画素信号の読み出しの走査開始は、前記第１のステップにおける前記第１のフィールドの画素の画素信号のリセットの走査開始の後、かつ前記第１のステップにおける前記第２のフィールドの画素の画素信号のリセットの走査開始の前に行われることを特徴とする請求項８記載の固体撮像装置の駆動方法。
【手続補正２】
【補正対象書類名】明細書
【補正対象項目名】０００６
【補正方法】変更
【補正の内容】
【０００６】
本発明の固体撮像装置は、光電変換により画素信号を生成する複数の画素が２次元行列状に配列された画素部と、前記画素部の読み出しの行アドレスを生成する読み出し行カウンタと、前記画素部の第１のフィールドのリセットの行アドレスを生成する第１のリセット行カウンタと、前記画素部の前記第１のフィールドに引き続く第２のフィールドのリセットの行アドレスを生成する第２のリセット行カウンタと、前記読み出し行カウンタ、前記第１のリセット行カウンタ及び前記第２のリセット行カウンタにより生成される行アドレスのうちの１つの行アドレスを選択するセレクタと、前記セレクタにより選択された行アドレスに対応する前記画素部の行を選択する画素駆動部とを有し、前記画素駆動部は、前記第１のフィールドで読み出される前記画素部の行を順次走査して前記第１のフィールドで読み出される画素の画素信号をリセットし、その後、前記第２のフィールドで読み出される前記画素部の行を順次走査して前記第２のフィールドで読み出される画素の画素信号をリセットし、その後、前記第１のフィールドの画素の画素信号を順次読み出し、その後、前記第２のフィールドの画素の画素信号を順次読み出す第１の動作モードを備えることを特徴とする。